(57)【要約】【課題】枠体と扉体からなる開戸において、インセット方式とアウトセット方式兼用タイプとすることで、１種類の在庫でインセットタイプ、アウトセットタイプ２種類分の販売に対応可能な開戸を提供する。【解決手段】扉体と該扉体の周囲を囲む左右の縦枠と上枠、下枠からなる同じ厚さの枠体で構成されるインセットタイプの開戸において、扉体における上部蝶番の上下方向の取付位置と下部蝶番の上下方向の取付位置の差、及び左右縦枠における上部蝶番座金の上下方向の取付位置と下部蝶番座金の上下方向の取付位置の差が前記枠体の厚みの２倍の寸法であり、左右縦枠における前記蝶番座金の取付位置が枠幅の中央から扉厚みの１／２の寸法だけ後方へずれるようにした。【選択図】　　　　図３
2004107966.tif 000002
【特許請求の範囲】
【請求項１】
扉体２と該扉体２の周囲を囲む左右の縦枠４、５と上枠６、下枠７からなる同じ厚さの枠体３で構成されるインセットタイプの開戸１において、扉体２における上部蝶番８ａの上下方向の取付位置Ａと下部蝶番８ｂの上下方向の取付位置Ｂの差、及び左右縦枠４、５における上部蝶番座金９ａの上下方向の取付位置Ａと下部蝶番座金９ｂの上下方向の取付位置Ｂの差が前記枠体３の厚みａの２倍の寸法であり、左右縦枠４、５における前記蝶番座金９ａ、９ｂの取付位置が枠幅の中央から扉厚みｂの１／２の寸法だけ後方へずれていることを特徴とするアウトセット兼用のインセット開戸。
【請求項２】
請求項１に記載のアウトセット兼用のインセット開戸において、アウトセットへの切り替え方法として、
▲１▼左右縦枠４、５の上下を逆さにして且つ正面見付面ｓ１とｓ２の向きも逆さにする。インセットタイプの時は正面にｓ１が位置していたが、アウトセットタイプになると正面にｓ２が位置する。
▲２▼左右縦枠の下部（逆さにする前の上部）を切断する。切断寸法Ｃは上枠６と下枠７の厚みを加えた寸法の２倍、すなわち、枠厚みａの４倍である。上部蝶番座金９ａが下側に位置し逆に下部蝶番座金９ｂが上側に位置する。
▲３▼所定寸法に切断した左右縦枠４、５と上枠６、下枠７を横勝ち構造で枠体３に組み立てる。この時、左右縦枠４、５の正面見付面ｓ１、ｓ２は前後逆さになるので、正面にはｓ２がくる。
▲４▼扉体２の蝶番８ａを縦枠４、５の蝶番座金９ｂにセットし、扉体２の蝶番８ｂを縦枠４、５の蝶番座金９ａにセットする。
以上の４つの工程でインセットタイプからアウトセットタイプへ切り替えることを特徴とするアウトセットへの切り替え方法。
【発明の詳細な説明】
【０００１】
【発明の属する技術分野】
本発明は左右縦枠及び上枠、下枠からなる枠体と該枠体に設けた扉体とで構成された開戸に関するもので、より詳しくは、前記枠体に対する扉体の取付位置関係において、いわゆるインセット方式とアウトセット方式の兼用タイプの開戸に関する。
【０００２】
【従来の技術】
従来、住宅、事務所等に取り付けられる開戸において、その周囲に設けられる枠体と該枠体に取り付ける扉体の取付位置関係において、インセット方式とアウトセット方式の２とおりがある。インセット方式というのは、周囲の枠体の中に扉体がすっぽりと納まってしまう取付のタイプであり、逆にアウトセット方式というのは、周囲の枠体の中に納まらずに枠体の外に取付される取付のタイプである。このように、開戸の枠体に取り付ける際の取り付け位置関係において前記の２種類があった。（例えば、非特許文献１参照。）。
【０００３】
上記インセットタイプとするか又はアウトセットタイプとするかは、開戸施工現場において決定するものではなく、開戸商品として工場で製造される段階で決まってしまうものである。従って、どちらのタイプにするかは、施主が予め施工業者と相談して事前に決め、決めたタイプの開戸を購入して取付施工するのが通常であった。
【０００４】
【非特許文献１】
剣持仁他編集「家具の事典」朝倉書店、１９９２年５月１０日発行、
ｐ．３６７−３６８。
【０００５】
【発明が解決しようとする課題】
従って、製造販売を行う業者にとっては、同一の種類の開戸について、常にインセットタイプとアウトセットタイプの２種類を製造し、在庫を切らすことなく確保しておく必要があった。製造の手間や商品在庫負担を考えると、その経費負担は大きなものであった。さらに、施工現場において、当初予定されていた開戸のタイプを周辺の建具や壁面、造作材等の関係で急遽その場で変更したいという希望が施主から出ることも多々あり、従来タイプの開戸ではその対応ができなかった。本発明の目的は、インセット方式とアウトセット方式兼用タイプの開戸とすることで、１種類の在庫でインセットタイプ、アウトセットタイプ２種類分の販売に対応できる開戸及びインセットタイプからアウトセットタイプへの切り替え方法を提供することにある。
【０００６】
【課題を解決するための手段】
上記目的を達成するために、本発明の請求項１に記載の発明は、扉体２と該扉体２の周囲を囲む左右の縦枠４、５と上枠６、下枠７からなる同じ厚さの枠体３で構成されるインセットタイプの開戸１において、扉体２における上部蝶番８ａの上下方向の取付位置Ａと下部蝶番８ｂの上下方向の取付位置Ｂの差、及び左右縦枠４、５における上部蝶番座金９ａの上下方向の取付位置Ａと下部蝶番座金９ｂの上下方向の取付位置Ｂの差が前記枠体３の厚みａの２倍の寸法であり、左右縦枠４、５における前記蝶番座金９ａ、９ｂの取付位置が枠幅の中央から扉厚みｂの１／２の寸法だけ後方へずれていることを特徴とする。
【０００７】
係る構成から、１種類の商品であっても、インセット方式とアウトセット方式の開戸のいずれでも可能となり、インセット方式とアウトセット方式兼用タイプの開戸とすることで、１種類の在庫でインセットタイプ、アウトセットタイプ２種類分の販売に対応でき、従って、工場における製造、流通における在庫、営業における商品カタログ、販売活動等において、２種類のものを１種類として取り扱えるので大変合理的である。
【０００８】
さらに、現場での施工段階において、開戸を設置する個所の周辺の建具や壁面の状態によって、施工現場で急遽、インセットタイプの予定からアウトセットタイプへ、又はその逆にアウトセットタイプの予定からインセットタイプへ仕様変更になっても、新たに商品を取り寄せ交換しなくとも極めて簡単に対応できる。本発明の開戸は、初めインセットタイプ用に設計されており、アウトセットタイプへ仕様変更するのに、以下に述べるように現場での極めて簡単な作業によって仕様変更可能となる。
【０００９】
また、本発明の請求項２に記載の発明は、請求項１に記載のアウトセット兼用のインセット開戸において、アウトセットへの切り替え方法として、
▲１▼左右縦枠４、５の上下を逆さにして且つ正面見付面ｓ１とｓ２の向きも逆さにする。インセットタイプの時は正面にｓ１が位置していたが、アウトセットタイプになると正面にｓ２が位置する。
▲２▼左右縦枠の下部（逆さにする前の上部）を切断する。切断寸法Ｃは上枠６と下枠７の厚みを加えた寸法の２倍、すなわち、枠厚みａの４倍である。上部蝶番座金９ａが下側に位置し逆に下部蝶番座金９ｂが上側に位置する。
▲３▼所定寸法に切断した左右縦枠４、５と上枠６、下枠７を横勝ち構造で枠体３に組み立てる。この時、左右縦枠４、５の正面見付面ｓ１、ｓ２は前後逆さになるので、正面にはｓ２がくる。
▲４▼扉体２の蝶番８ａを縦枠４、５の蝶番座金９ｂにセットし、扉体２の蝶番８ｂを縦枠４、５の蝶番座金９ａにセットする。
以上の４つの工程でインセットタイプからアウトセットタイプへ切り替えることを特徴とする。
【００１０】
係る構成から、施工現場で急遽、インセットタイプの予定からアウトセットタイプへ仕様変更になっても、新たに商品を取り寄せ交換しなくとも極めて簡単に対応できる。上記したように現場での簡単な作業をするだけで極めて簡単に、インセットタイプからアウトセットタイプへ切り替えできる。
【００１１】
【発明の実施の形態】
以下、図面を参考にして本発明の実施形態の一例を説明する。図１は本発明の開戸のインセットタイプを示す正面図、側面図、平面図、図２は本発明の開戸のアウトセットタイプを示す正面図、側面図、平面図である。図３は本発明の開戸のインセットタイプからアウトセットタイプへの切り替え方法を示す正面図、側面図である。インセットタイプからアウトセットタイプへ切り替える際に上枠、下枠、左右縦枠の取り合い部分の位置関係と、左右縦枠下端を切断する箇所について示したものである。図４は本発明の開戸の縦枠の見込み（幅）方向における蝶番及び蝶番座金取付位置関係を示す側面図である。インセットタイプとアウトセットタイプにおける、左右縦枠の見込み（幅）方向における蝶番及び蝶番座金の取付位置関係を示す。
【００１２】
図１〜４において、図番符号１は本発明の開戸、２は扉体、３は枠体、４、５は縦枠、６は上枠、７は下枠を示す。また、８ａ、８ｂは蝶番、９ａ、９ｂは蝶番座金を示す。インセットタイプでは、９ａは上部の蝶番座金、９ｂは下部の蝶番座金を示す。アウトセットタイプではその逆である。また、図中、ａは枠の厚み、ｂは扉の厚み、ｗは枠体の見込み寸法、すなわち枠体の奥行き方向の幅寸法を示す。
【００１３】
また、Ａ、Ｂは蝶番及び蝶番座金の縦枠端部からの上下方向の寸法を示す。インセットタイプにおける上部の蝶番座金取付位置の縦枠上端からの寸法をＡとし、インセットタイプにおける下部の蝶番座金取付位置の縦枠下端からの寸法をＢとする。
【００１４】
また、図１〜４において、ｒはアウトセットにおける蝶番座金の縦枠端部からの見込み（幅）方向の寸法を示す。また、ｓ１はインセットタイプにおける縦枠の正面見付面を示し、ｓ２はアウトセットタイプにおける縦枠の正面見付面を示す。また、Ｃはインセットタイプからアウトセットタイプへ切り替える場合に左右縦枠の下部を切断するが、この時の切断寸法を示す。
【００１５】
また、以下の説明は、わかり易くするため扉と枠体のチリ寸法（図示せず）がゼロの場合で説明するが、チリ寸法がゼロでない場合はチリ寸法分だけ配慮して考えれば良い。基本的な考え方は変わらない。
【００１６】
図１〜４において、本発明のアウトセット兼用のインセット開戸は、左右縦枠４、５の各１本と上枠６、下枠７の各１本の合計４本の枠材及び扉体２がセットで梱包されている。４本セットの枠材の長さ寸法は枠体３に組み立てた時、インセットタイプで、いわゆる縦勝ち構造が可能なように長めの寸法となっている。インンセットタイプの開戸が可能な寸法となっている。
【００１７】
ここで、縦勝ち構造とは、枠構造において、左右縦枠４、５と上枠６及び下枠７との取り合い部分において、左右縦枠４、５が上下方向に通る構造のことである。枠構造は前記縦勝ち構造の他、いわゆる横勝ち構造がある。該横勝ち構造とは、枠構造において、左右縦枠４、５と上枠６及び下枠７との取り合い部分において、左右縦枠４、５が上下方向に通るのでなく、上枠６、下枠７が横方向に通る構造のことである。
【００１８】
本発明において、インセットタイプの場合は、枠材の見付面が正面から見て完全に露出するタイプゆえ、枠構造は縦勝ち構造として積極的に枠材の見付面を正面から見て見えるようにする。縦勝ち構造であると枠材が見えても意匠的に優れたものとなるが、横勝ち構造は意匠的に優れずインセットタイプには不向きである。枠材の見付面が隠れるタイプのアウトセットタイプであると横勝ち構造でも意匠的に問題がない。
【００１９】
また、左右縦枠４、５の所定位置に蝶番取付用の蝶番座金９ａ、９ｂ用の下穴があらかじめ設けられており、蝶番用座金が梱包に同梱されている。この時蝶番座金として前後方向兼用タイプのものを用いればあらかじめ縦枠所定位置に取り付けておくことも可能である。また、扉体２の所定位置に蝶番８ａ、８ｂがあらかじめ設けられている。蝶番座金９ａ、９ｂの取付位置は扉体２に設けられた蝶番８ａ、８ｂ取付位置に丁度見合った寸法に設定されている。
【００２０】
図１に示すように、インセットタイプの場合、蝶番取付用の蝶番座金９ａ、９ｂの取付位置の縦枠４、５の上端、下端からの寸法をＡ、Ｂとする。また、図４に示すように、蝶番取付用の蝶番座金９ａ、９ｂの取付位置の縦枠の見込み（幅）ｗ方向の、正面見付面ｓ１からの位置は、扉厚みｂにｒを加えた寸法で、正面見付面ｓ２からの寸法はｒの距離にある。従って、蝶番取付用の蝶番座金９ａ、９ｂの取付位置の縦枠の見込み（幅）ｗ方向の位置は、扉厚みｂの１／２だけ縦枠の見込み（幅）ｗ方向の中央からずれた位置となっている。
【００２１】
図１において、本発明の開戸１は、扉体２が枠体３の中にすっぽりと納まるインセットタイプである。図１に示すインセットタイプの場合、左右縦枠４、５の正面見付面はｓ１となり、図２に示すアウトセットタイプの場合は左右縦枠４、５の正面見付面はｓ２となる。
【００２２】
図１のインセットタイプの場合、枠構造は左右縦枠４、５と上枠６及び下枠７との取り合い部分において、左右縦枠４、５が上下方向に通る、いわゆる縦勝ち構造となる。左右縦枠４、５、上枠６、下枠７は前記したように縦勝ち構造となるようにして木ネジ、釘等で接合して枠体３を組み立てる。次に、扉体２にある蝶番８ａ、８ｂを左右縦枠にある蝶番座金９ａ、９ｂにセットし本発明のインセットタイプの開戸が完成する。
【００２３】
次に、同じ商品を使って、今度はアウトセットタイプの開戸を組み立てる場合の方法を以下に述べる。アウトセットタイプの場合、枠構造は左右縦枠４、５と上枠６及び下枠７との取り合い部分において、左右縦枠４、５が上下方向に通るのでなく、上枠６と下枠７が横方向に通る、いわゆる横勝ち構造となる。手順は
▲１▼左右縦枠４、５の上下を逆さにして且つ正面見付面ｓ１とｓ２の向きも逆さにする。インセットタイプの時は正面にｓ１が位置していたが、アウトセットタイプになると正面にｓ２が位置する。従って、左右縦枠４、５の正面見付面ｓ１とｓ２の両方の面に表面化粧を施しておくことが大切である。扉体２は上下を逆さにしないので注意を要する。
▲２▼左右縦枠の下部（逆さにする前の上部）を切断する。切断寸法Ｃは上枠と下枠の厚みを加えた寸法の２倍、すなわち、枠厚みの４倍である。上部蝶番座金９ａが下側に位置し逆に下部蝶番座金９ｂが上側に位置する。
▲３▼所定寸法に切断した左右縦枠４、５と上枠６、下枠７を横勝ち構造で枠体に組み立てる。この時、左右縦枠４、５の正面見付面ｓ１、ｓ２は前後逆さになるので、正面にはｓ２がくることに注意する。
▲４▼扉体２の蝶番８ａを縦枠４、５の蝶番座金９ｂにセットし、扉体２の蝶番８ｂを縦枠４、５の蝶番座金９ａにセットする。
以上の工程でインセットタイプからアウトセットタイプへ切り替えできる。
【００２４】
【発明の効果】
以上のように、本発明に係るアウトセット兼用のインセット開戸とアウトセットへの切り替え方法によれば、１種類の同じ商品でもインセット方式とアウトセット方式の開戸のいずれでも組立可能である。インセット方式とアウトセット方式兼用タイプの開戸とすることで、１種類の在庫で両タイプ２種類分の販売に対応でき、従って、工場における製造、流通における在庫、営業における商品カタログ、販売活動等において、２種類のものを１種類として取り扱えるので大変合理的である。さらに、現場での施工段階において、開戸を設置する個所の周辺の建具や壁面の状態によって、現場で急遽、インセットタイプの予定からアウトセットタイプへ、又はその逆にアウトセットタイプの予定からインセットタイプへ仕様変更になっても、新たに商品を交換取り寄せしなくとも対応可能である。現場での極めて簡単な作業をするだけでインセットタイプからアウトセットタイプへ切り替えが可能である。
【図面の簡単な説明】
【図１】本発明の開戸のインセットタイプを示す正面図、側面図、平面図。
【図２】本発明の開戸のアウトセットタイプを示す正面図、側面図、平面図。
【図３】本発明の開戸のインセットタイプからアウトセットタイプへの切り替え方法を示す正面図、側面図。
【図４】本発明の開戸の縦枠の見込み（幅）方向における蝶番及び蝶番座金取付位置関係を示す側面図。
【符号の説明】
１　　　　　開戸
２　　　　　扉体
３　　　　　枠体
４、５　　　縦枠
６　　　　　上枠
７　　　　　下枠
８ａ、８ｂ　蝶番
９ａ、９ｂ　蝶番座金
ａ　　　　　枠の厚み
ｂ　　　　　扉の厚み
ｗ　　　　　枠体の見込み（幅）寸法。
Ａ、Ｂ　　　蝶番及び蝶番座金の縦枠端部からの上下方向の寸法。
ｒ　　　　　アウトセットにおける蝶番座金の縦枠端部からの見込み（幅）方向の寸法。
ｓ１　　　　インセットタイプにおける縦枠の正面見付面。
ｓ２　　　　アウトセットタイプにおける縦枠の正面見付面。
Ｃ　　　　　縦枠切断寸法。
【図１】
2004107966.tif 000003
【図２】
2004107966.tif 000004
【図３】
2004107966.tif 000005
【図４】
2004107966.tif 000006